(57)【特許請求の範囲】
【請求項１】
鏡体を収容する筒状体と、
外周面にピンが配設されたシリンダーと、
前記ピンに弾かれることによって音波を発生させる振動弁と、
前記シリンダーを回転させる駆動手段と、
前記シリンダーの回転を前記筒状体に伝達する伝達機構と、
前記筒状体、前記シリンダー及び前記振動弁を収容する筐体と、を備えることを特徴とする万華鏡装置。
【請求項２】
前記筒状体及び前記シリンダーは、回転軸が互いに平行となるように配設され、
前記伝達機構は、前記シリンダーに同軸状に固定された駆動側ギヤと、前記筒状体に同軸状に固定され、前記駆動側ギヤに噛合される従動側ギヤと、を有してなることを特徴とする請求項１に記載の万華鏡装置。
【請求項３】
前記振動弁として、発生させる音波の周波数が互いに異なる複数の振動弁を有し、
前記複数の振動弁は、前記筒状体に沿って並設されていることを特徴とする請求項１又は２に記載の万華鏡装置。
【請求項４】
前記筒状体には、観賞対象オブジェクトが収容されていることを特徴とする請求項１乃至３のうちいずれか一項に記載の万華鏡装置。
【請求項５】
前記筒状体の端部には、球体レンズが配設されていることを特徴とする請求項１乃至３のうちいずれか一項に記載の万華鏡装置。
【発明の詳細な説明】
【技術分野】
【０００１】
本発明は、覗き窓から見える模様を手動によらずに自動で変化させることが可能な万華鏡装置に関し、特に、覗き窓から見える模様の変化を多様化することが可能な万華鏡装置に関する。
【背景技術】
【０００２】
従来、観賞対象オブジェクトを収容するオブジェクトケースを自動的に回転させる万華鏡装置が知られている（特許文献１参照）。
この万華鏡装置では、モータを用いて、オブジェクトケースを、回転させつつ回転軸の延びる方向に沿って往復移動させることによって、覗き窓から見える模様の変化を多様化している。
【先行技術文献】
【特許文献】
【０００３】
【特許文献１】特開２０１０−１２８４８５号公報
【発明の概要】
【発明が解決しようとする課題】
【０００４】
しかしながら、従来の万華鏡装置では、構造が複雑となり、小型化が困難となっている。
本発明の課題は、簡易な構造により、覗き窓から見える模様を自動で変化させ、かつ、模様の変化を多様化することである。
【課題を解決するための手段】
【０００５】
上記課題を解決するために、第一の発明に係る万華鏡装置は、鏡体を収容する筒状体と、外周面にピンが配設されたシリンダーと、前記ピンに弾かれることによって音波を発生させる振動弁と、前記シリンダーを回転させる駆動手段と、前記シリンダーの回転を前記筒状体に伝達する伝達機構と、前記筒状体、前記シリンダー及び前記振動弁を収容する筐体と、を備えることを特徴とする。
第一の発明に係る万華鏡装置では、駆動手段によるシリンダーの回転が、伝達機構を介して、鏡体を収容する筒状体に伝達される。これによって、鏡体を収容する筒状体を自動で回転させることができる。したがって、筒状体が回転された際に、鏡体の回転によって、覗き窓から見える模様を自動で変化させることができ、覗き窓から見える模様の変化を多様化することが可能となる。
【０００６】
特に、第一の発明に係る万華鏡装置では、筒状体、シリンダー及び振動弁が筐体に収容されている。これによって、筐体内において、振動弁から発生した音波が、筒状体を振動させて、筒状体に収容されている鏡体を振動させる。この際、振動弁から発生した音波が筐体内で反響することによって、筒状体の振動が強まる。したがって、覗き窓から見える模様の変化をさらに多様化することが可能となる。
以上のように、第一の発明に係る万華鏡装置によれば、簡易な構造により、覗き窓から見える模様を自動で変化させ、かつ、模様の変化を多様化することが可能となる。
【０００７】
第二の発明に係る万華鏡装置は、第一の発明に係る万華鏡装置において、前記筒状体及び前記シリンダーは、回転軸が互いに平行となるように配設され、前記伝達機構は、前記シリンダーに同軸状に固定された駆動側ギヤと、前記筒状体に同軸状に固定され、前記駆動側ギヤに噛合される従動側ギヤと、を有してなることを特徴とする。
第二の発明に係る万華鏡装置によれば、さらに簡易な構造により、覗き窓から見える模様の変化を多様化することが可能となる。
【０００８】
第三の発明に係る万華鏡装置は、第一又は第二の発明に係る万華鏡装置において、前記振動弁として、発生させる音波の周波数が互いに異なる複数の振動弁を有し、前記複数の振動弁は、前記筒状体に沿って並設されていることを特徴とする。
第三の発明に係る万華鏡装置では、複数の振動弁を有している。これによって、音波による筒状体の振動を強めることが可能となる。
特に、複数の振動弁では、発生させる音波の周波数が互いに異なっている。これによって、ピンに弾かれた振動弁に応じて筒状体の振動状態を変化させることができ、覗き窓から見える模様の変化をさらに多様化することが可能となる。
また、第三の発明に係る万華鏡装置では、複数の振動弁が、筒状体に沿って並設されている。これによって、振動弁から発生した音波により筒状体を効果的に振動させることが可能となる。
【０００９】
第四の発明に係る万華鏡装置は、第一乃至第三のうちいずれか一の発明に係る万華鏡装置において、前記筒状体には、観賞対象オブジェクトが収容されていることを特徴とする。
第四の発明に係る万華鏡装置では、自動で回転される筒状体に、観賞対象オブジェクト及び鏡体が収容されている。これによって、筒状体が回転された際に、観賞対象オブジェクトの移動によって覗き窓から見える模様を変化させることができるとともに、鏡体の回転によって覗き窓から見える模様を変化させることができる。したがって、覗き窓から見える模様の変化をさらに多様化することが可能となる。
特に、第四の発明に係る万華鏡装置では、筐体内において、振動弁から発生した音波が、筒状体を振動させて、筒状体に収容されている観賞対象オブジェクトの移動を促す。したがって、覗き窓から見える模様の変化をさらに多様化することが可能となるとともに、筒状体内における観賞対象オブジェクトの引っ掛かりを防止することが可能となる。
【００１０】
第五の発明に係る万華鏡装置は、第一乃至第三のうちいずれか一の発明に係る万華鏡装置において、前記筒状体の端部には、球体レンズが配設されていることを特徴とする。
第五の発明に係る万華鏡装置では、球体レンズを介して鏡体に反射される外界の景色によって、覗き窓から見える模様を変化させることが可能となる。したがって、観賞対象オブジェクトを用いる必要がなく、簡易な構造により、覗き窓から見える模様の変化を多様化することが可能となる。
【発明の効果】
【００１１】
本発明によれば、簡易な構造により、覗き窓から見える模様を自動で変化させ、かつ、模様の変化を多様化することが可能となる。
【図面の簡単な説明】
【００１２】
【図１】本発明の第一実施形態に係る万華鏡装置１の分解斜視図であって、筐体１０の蓋部１２の内側が見える状態を示す。
【図２】万華鏡装置１の分解斜視図であって、筐体１０の蓋部２０の外側が見える状態を示す。
【図３】万華鏡装置１の分解斜視図であって、筐体１０の左右方向の一方側の側面が見える状態を示す。
【図４】万華鏡装置１の左右方向の他方側を示す側面図である。
【図５】万華鏡装置１が備える万華鏡ユニット２０の断面図である。
【図６】万華鏡装置１により視認できる模様の一例を示す図である。
【図７】本発明の第二実施形態に係る万華鏡装置２の分解斜視図であって、筐体１０の蓋部１２の内側が見える状態を示す。
【図８】万華鏡装置２が備える万華鏡ユニット５０の断面図である。
【発明を実施するための形態】
【００１３】
（第一実施形態）
以下、本発明の第一実施形態に係る万華鏡装置１について、図面を参照しながら説明する。
本実施形態に係る万華鏡装置１は、観賞対象オブジェクトを鏡体に反射されることによって覗き窓から見える模様を変化させるタイプの万華鏡装置（所謂「カレイドスコープ」）となっている。
（万華鏡装置１の構成）
図１は、本発明の第一実施形態に係る万華鏡装置１の分解斜視図であって、筐体１０の蓋部１２の内側が見える状態を示す。図２は、万華鏡装置１の分解斜視図であって、筐体１０の蓋部１２の外側が見える状態を示す。図３は、万華鏡装置１の分解斜視図であって、筐体１０の左右方向の一方側の側面が見える状態を示す。なお、図３では、筐体１０内に配設されている筒状体２３を、一点鎖線で示している。図４は、万華鏡装置１の左右方向の他方側を示す側面図である。図５は、万華鏡装置１が備える万華鏡ユニット２０の断面図である。なお、図５では、筐体１０を、一点鎖線で示している。図６は、万華鏡装置１により視認できる模様の一例を示す図である。
以下の説明では、「上下方向」とは、図３、図４及び図５に示す上下方向をいい、「上方」とは、図３、図４及び図５に示す上方をいう。また、「左右方向」とは、図１、図２及び図５に示す左右方向をいい、「左右方向の一方側」とは、図１、図２及び図５に示す右側をいい、「左右方向の他方側」とは、図１、図２及び図５に示す左側をいう。
【００１４】
図１乃至図４に示す万華鏡装置１は、筐体１０と、筐体１０内に配設された万華鏡ユニット２０、発音ユニット３０及び回転力伝達機構（伝達機構）４０と、を備えている。
筐体１０は、樹脂によって、略直方体形状に形成されている。筐体１０は、収容部１１と、収容部１１に取り付けられる蓋部１２と、を有している。
収容部１１は、上下方向の上方が開放された箱状に形成されている。図５に示すように、収容部１１の左右方向の各側面には、貫通孔１３ａ，１３ｂが設けられている。両貫通孔１３ａ，１３ｂは、互いに対向する位置に設けられている。蓋部１１は、平板状に形成されている。図２に示すように、蓋部１１には、貫通孔１４が設けられている。
【００１５】
図５に示すように、万華鏡ユニット２０は、一対の軸受部材２１，２２と、両軸受部材２１，２２によって回転自在に支持される筒状体２３と、筒状体２３内に配設された鏡体２４及び観賞対象オブジェクト２５と、を有している。
軸受部材２１は、円板状に形成された円板部２１ａと、円筒状に形成されて、円板部２１ａの内面から内側（筐体１０の内側）に向かって延びる円筒部２１ｂと、を有している。円板部２１ａには、貫通孔２１ｃが設けられており、この貫通孔２１ｃには、透光板２１ｄが嵌め込まれている。透光板２１ｄは、光を透過させることが可能となるように、透明又は半透明のガラス、樹脂等によって形成されている。軸受部材２１は、収容部１１の左右方向の一方側の側面に設けられた貫通孔１３ａに取り付けられている。具体的には、軸受部材２１は、円筒部２１ｂの先端部が貫通孔１３ａの外側から内側に向かって挿入された状態で、貫通孔１３ａに取り付けられる。
【００１６】
軸受部材２２は、円板状に形成された円板部２２ａと、円筒状に形成されて、円板部２２ａの内面から内側（筐体１０の内側）に向かって延びる円筒部２２ｂと、を有している。円板部２２ａには、貫通孔２２ｃが設けられており、この貫通孔２２ｃには、接眼レンズ２２ｄが嵌め込まれている。接眼レンズ２２ｄは、ガラス、樹脂等によって形成された透明な凸レンズとなっている。そして、万華鏡装置１では、接眼レンズ２２ｄが嵌め込まれた貫通孔２２ｃが、模様を視認するための覗き窓となっている。軸受部材２２は、収容部１１の左右方向の他方側の側面に設けられた貫通孔１３ｂに取り付けられている。具体的には、軸受部材２２は、円筒部２２ｂの先端部が貫通孔１３ｂの外側から内側に向かって挿入された状態で、貫通孔１３ｂに取り付けられる。
筒状体２３は、金属によって、円筒状に形成されている。図５に示すように、筒状体２３内の左右方向の一方側（軸受部材２１側）の端部には、筒状体２３内の空間を仕切る仕切板２３ａが配設されている。仕切板２３ａは、透明なガラス、樹脂等によって形成されている。
【００１７】
筒状体２３は、その一方側の端部が軸受部材２１の円筒部２１ｂ内に挿入されるとともに、その他方側の端部が軸受部材２２の円筒部２２ｂ内に挿入される。これによって、筒状体２３は、筐体１０内において、回転自在に配設されている。そして、筒状体２３内では、仕切板２３ａと軸受部材２１の円板部２１ａとの間において、観賞対象オブジェクト収容室２６が形成される。また、筒状体２３内では、仕切板２３ａと軸受部材２２の円板部２２ａとの間において、鏡体収容室２７が形成される。
ここで、本実施形態では、観賞対象オブジェクト収容室２６は、仕切板２３ａと軸受部材２１の円板部２１ａとの間において形成されている。しかしながら、筒状体２３内の左右方向一方側の端部において２枚の仕切板２３ａを配設して、２枚の仕切板２３ａの間において観賞対象オブジェクト収容室２６を形成しても構わない。
【００１８】
図５に示すように、鏡体２４（いわゆる「ミラーシステム（鏡筒）」）は、２枚の鏡板２４ａ，２４ｂから構成されている（いわゆる「ツーミラーシステム」）。各鏡板２４ａ，２４ｂは、ガラス、樹脂等によって、長尺平板状に形成されている。各鏡板２４ａ，２４ｂの長手方向（左右方向）の寸法は、筒状体２３の鏡体収容室２７の長手方向（左右方向）の寸法と略一致している。そして、鏡体２４は、２枚の鏡板２４ａ，２４ｂの一辺（長辺）を互いに貼り合せることによって、長手方向に沿って見た断面が略Ｖ字形に形成されている。また、各鏡板２４ａ，２４ｂの内側の面（両鏡板２４ａ，２４ｂで互いに向き合う面）には、アルミニウム、銀等の金属が蒸着されることによって、鏡面ｍが形成されている。鏡体２４は、筒状体２３の鏡体収容室２７内に収容されている。鏡体２４は、筒状体２３とともに回転されるように、筒状体２３に固定されている。
ここで、本実施形態では、鏡体２４は、ツーミラーシステムとなっている。しかしながら、鏡体２４としては、３枚の鏡板を三角筒形状となるように貼り合せたスリーミラーシステム、４枚の鏡板を四角筒形状となるように貼り合せたフォーミラーシステム等、種々の構成を採用することが可能である。
【００１９】
観賞対象オブジェクト２５としては、ガラス、樹脂、紙、宝石、貝殻等の小片を用いる。観賞対象オブジェクト２５としては、形状、色、大きさ等が互いに異なる複数の小片を用いることが好ましい。観賞対象オブジェクト２５は、移動自在な状態で、筒状体２３の観賞対象オブジェクト収容室２６内に収容されている。
図１から図３に示すように、発音ユニット３０は、台座３１と、台座３１に取り付けられたシリンダー３２、振動板３３及び駆動装置（駆動手段）３４と、を有している。
台座３１は、金属によって、枠状に形成されている。台座３１には、シリンダー３１の回転軸を軸支する軸受部３１ａが設けられている。台座３１は、蓋部１１の下面に固定されている。そして、台座３１の下面側には、シリンダー３２、振動板３３及び駆動装置３４が取り付けられている。
【００２０】
シリンダー３２は、金属によって、円柱状に形成されている。シリンダー３２の外周面には、複数のピン３２ａが配設されている。シリンダー３２は、回転軸（図示せず）を有している。図１に示すように、シリンダー３２の回転軸には、ギヤ３２ｂが配設されている。ギヤ３２ｂは、シリンダー３２の回転軸に同軸状に固定されている。シリンダー３２は、その回転軸の一方側の端部が台座３１の軸受部３１ａに軸支されるとともに、その回転軸の他方側の端部が駆動装置３４のハウジング３４ａに軸支されることによって、台座３１に対して回転自在に取り付けられている。
振動板３３は、金属によって、櫛歯状に形成されている。振動板３３には、長さが互いに異なる複数のスリットが設けられており、これによって、長さが互いに異なる複数の振動弁３３ａが形成されている。複数の振動弁３３ａでは、各振動弁３３ａの長さが互いに異なることによって、各振動弁３３ａが発生させる音波の周波数（音の高さ）が互いに異なっている。
【００２１】
振動板３３は、各振動弁３３ａの先端部に、当該振動弁３３ａに対応するピン３２ａが接触可能となるように、台座３１に取り付けられている。
ここで、複数の振動弁３３ａは、各振動弁３３ａの先端部が筒状体２３に沿って（筒状体２３の長手方向に沿って）並ぶように並設されている。ここで、一般的に、周波数が低い音波ほど、減衰が少なく、遠くまで到達する。そこで、本実施形態では、複数の振動弁３３ａのうち、長さが短いもの（周波数が高い（高音）のもの）ほど筒状体２３の観賞対象オブジェクト収容室２６に近い位置に配置し、長さが長いもの（周波数が低い（低音）のもの）ほど筒状体２３の観賞対象オブジェクト収容室２６から遠い位置に配置している。これにより、各振動弁３３ａから発生した音波による観賞対象オブジェクト収容室２６の振動を効果的に行うことが可能となる。
【００２２】
駆動装置３４は、ハウジング３４ａと、ハウジング３４ａ内に配設されたゼンマイ（駆動源）（図示せず）及びガバナ（調速機構）（図示せず）と、ゼンマイの駆動力により回転される駆動ギヤ（図示せず）と、ゼンマイの巻き上げ操作を行うための操作シャフト３４ｂと、を有している。
ハウジング３４ａは、樹脂により形成されている。駆動ギヤは、シリンダー３２のギヤ３２ｂに噛合するように配設されている。図２に示すように、操作シャフト３４ｂは、台座３１の貫通孔（図示せず）及び蓋部１１の貫通孔１４を介して、蓋部１１から上方に向かって突出している。
駆動装置３４は、シリンダー３２及び振動板３３に対して、左右方向の他方側（接眼レンズ２２ｄ側）に配置されている。これによって、振動板３３を筒状体２３の観賞対象オブジェクト収容室２６に近い位置に配置することができ、各振動弁３３ａから発生した音波による観賞対象オブジェクト収容室２６の振動をさらに効果的に行うことが可能となる。
ここで、本実施形態では、駆動源として、ゼンマイを用いている。しかしながら、駆動源として、モータ等の他の駆動源を用いても構わない。
【００２３】
図１から図３に示すように、回転力伝達機構４０は、駆動側ギヤ４１と、駆動側ギヤ４１に噛合するように配設された従動側ギヤ４２と、を有している。駆動側ギヤ４１は、シリンダー３２に同軸状に固定されている。駆動側ギヤ４１は、シリンダー３２の左右方向の他方側の端部に固定されている。従動側ギヤ４２は、筒状体２３に同軸状に固定されている。従動側ギヤ４２は、円環状に形成され、筒状体２３が挿通された状態で、筒状体２３に固定されている。
ここで、シリンダー３２及び筒状体２３は、回転軸が互いに平行となるように配設されている。これによって、シリンダー３２が回転されると、シリンダー３２の回転が回転力伝達機構４０を介して筒状体２３に伝達され、筒状体２３が回転される。
【００２４】
（万華鏡装置１の動作）
万華鏡装置１を使用する際には、まず、手動により操作シャフト３４ｂを回転させて、駆動装置３４のゼンマイの巻き上げを行う。そして、駆動装置３４のゼンマイの巻き上げを完了させた後、接眼レンズ２２ｄが嵌め込まれた貫通孔２２ｃ（覗き窓）から筒状体２３の内部を覗き込む。
覗き窓から筒状体２３の内部を覗き込むと、観賞対象オブジェクト２５が鏡体２４の鏡面ｍに多重反射されて、図６に示すような模様を視認することができる。
そして、ゼンマイの駆動力（復元力）によって、駆動ギヤの回転が開始される。この際、駆動装置３４のガバナによって、駆動ギヤの回転速度が一定に調整される。
駆動ギヤが回転されると、この回転がギヤ３２ｂを介してシリンダー３２に伝達され、シリンダー３２が回転される。そして、シリンダー３２が回転されると、シリンダー３２の外周面に配設された各ピン３２ａが、当該ピン３２ａに対応する振動弁３３ａを弾く。これによって、各振動弁３３ａから所定の周波数の音波が発生して、所定のメロディーが奏でられる。
【００２５】
また、シリンダー３２が回転されると、この回転が回転力伝達機構４０を介して筒状体２３に伝達され、筒状体２３が回転される。そして、筒状体２３が回転されると、観賞対象オブジェクト収容室２６内において観賞対象オブジェクト２５が移動される。これによって、覗き窓から見える模様が変化する。また、筒状体２３が回転されると、鏡体収容室２７内に収容されている鏡体２４が回転されて、長手方向に見た断面が略Ｖ字形に構成された鏡体２４の向きが変化する。これによって、覗き窓から見える模様が変化する。
さらに、複数の振動弁３３ａのそれぞれが弾かれると、各振動弁３３ａから発生した音波が、筒状体２３を振動させる。そして、筒状体２３が振動すると、この振動に合わせて観賞対象オブジェクト収容室２６内において観賞対象オブジェクト２５が移動される。これによって、覗き窓から見える模様が、振動板３３により奏でられるメロディーに合わせて変化する。特に、複数の振動弁３３ａのそれぞれから発生した音波が筐体１０内の空間で反響することによって、筒状体２３の振動を強めることができる。
【００２６】
以上のように、万華鏡装置１では、駆動装置３４によるシリンダー３２の回転が、回転力伝達機構４０を介して、観賞対象オブジェクト２５及び鏡体２４を収容する筒状体２３に伝達される。これによって、筒状体２３を自動で回転させることができ、覗き窓から見える模様を自動で変化させることが可能となる。
また、万華鏡装置１では、自動で回転される筒状体２３に、観賞対象オブジェクト２５及び鏡体２４が収容されている。これによって、筒状体２３が回転された際に、観賞対象オブジェクト２５の移動によって覗き窓から見える模様を変化させることができるとともに、鏡体２４の回転によって覗き窓から見える模様を変化させることができる。したがって、覗き窓から見える模様の変化を多様化することが可能となる。
【００２７】
さらに、万華鏡装置１では、筒状体２３、シリンダー３２及び振動板３３が筐体１０内に収容されている。これによって、振動弁３３ａから発生した音波が、筒状体２３を振動させて、筒状体２３に収容されている観賞対象オブジェクト２５の移動を促す。特に、振動弁３３ａから発生した音波が筐体１０内で反響することによって、筒状体２３の振動が強まる。したがって、覗き窓から見える模様の変化をさらに多様化することが可能となる。また、筒状体２３内における観賞対象オブジェクト２５の引っ掛かりを防止することが可能となる。
以上のように、万華鏡装置１によれば、簡易な構造により、覗き窓から見える模様を自動で変化させ、かつ、模様の変化を多様化することが可能となる。
【００２８】
特に、万華鏡装置１では、筒状体２３及びシリンダー３２が、回転軸が互いに平行となるように配設されているとともに、伝達機構が、シリンダー３２に同軸状に固定された駆動側ギヤ４１と筒状体２３に同軸状に固定された従動側ギヤ４２とから構成されている。これによって、さらに簡易な構成により、覗き窓から見える模様を自動で変化させ、かつ、模様の変化を多様化することが可能となる。
【００２９】
（第二実施形態）
次に、本発明の第二実施形態に係る万華鏡装置２について、図面を参照しながら説明する。
本実施形態に係る万華鏡装置２は、球体レンズ５５を通して外界の景色を鏡体２４に反射されることによって覗き窓から見える模様を変化させるタイプの万華鏡装置（所謂「テレイドスコープ」）となっている。
【００３０】
（万華鏡装置２の構成）
万華鏡装置２の基本構成は、万華鏡装置１の基本構成と同一となっている。したがって、以下の説明では、万華鏡装置２の構成のうち万華鏡装置１の構成と同一の構成については同一の符号を付して説明を省略する。
万華鏡装置２は、万華鏡装置１の構成において、万華鏡ユニット２０に替えて万華鏡ユニット５０を備えている。
図７は、本発明の第二実施形態に係る万華鏡装置２の分解斜視図であって、筐体１０の蓋部１２の内側が見える状態を示す。図８は、万華鏡装置２が備える万華鏡ユニット５０の断面図である。
以下の説明では、「左右方向」とは、図７及び図８に示す左右方向をいい、「左右方向の一方側」とは、図７及び図５に示す右側をいい、「左右方向の他方側」とは、図７及び図８に示す左側をいう。
【００３１】
図７に示す万華鏡装置２は、筐体１０と、筐体１０内に配設された万華鏡ユニット５０、発音ユニット３０及び回転力伝達機構（伝達機構）４０と、を備えている。
図８に示すように、万華鏡ユニット５０は、一対の軸受部材５１，５２と、両軸受部材５１，５２によって回転自在に支持される筒状体５３と、筒状体５３内に配設された鏡体５４と、固定部材５８を介して筒状体５３の端部に配設された球体レンズ５５と、を有している。
軸受部材５１は、円板状に形成された円板部５１ａと、円筒状に形成されて、円板部５１ａの内面から内側（筐体１０の内側）に向かって延びる円筒部５１ｂと、を有している。円板部５１ａには、貫通孔５１ｃが設けられている。軸受部材５１は、収容部１１の左右方向の一方側の側面に設けられた貫通孔１３ａに取り付けられている。具体的には、軸受部材５１は、円筒部５１ｂの先端部が貫通孔１３ａの外側から内側に向かって挿入された状態で、貫通孔１３ａに取り付けられる。
【００３２】
軸受部材５２は、円板状に形成された円板部５２ａと、円筒状に形成されて、円板部５２ａの内面から内側（筐体１０の内側）に向かって延びる円筒部５２ｂと、を有している。円板部５２ａには、貫通孔５２ｃが設けられており、この貫通孔５２ｃには、接眼レンズ５２ｄが嵌め込まれている。接眼レンズ５２ｄは、ガラス、樹脂等によって形成された透明な凸レンズとなっている。そして、万華鏡装置２では、接眼レンズ５２ｄが嵌め込まれた貫通孔５２ｃが、模様を視認するための覗き窓となっている。軸受部材５２は、収容部１１の左右方向の他方側の側面に設けられた貫通孔１３ｂに取り付けられている。具体的には、軸受部材５２は、円筒部５２ｂの先端部が貫通孔１３ｂの外側から内側に向かって挿入された状態で、貫通孔１３ｂに取り付けられる。
筒状体５３は、金属によって、円筒状に形成されている。図８に示すように、筒状体５３内の左右方向の一方側（軸受部材５１側）の端部には、筒状体５３内の空間を仕切る仕切板５３ａが配設されている。仕切板５３ａは、透明なガラス、樹脂等によって形成されている。
【００３３】
筒状体５３は、その一方側の端部に取付けられた固定部材５８が軸受部材５１の円筒部５１ｂ内に挿入されるとともに、その他方側の端部が軸受部材５２の円筒部５２ｂ内に挿入される。これによって、筒状体５３は、筐体１０内において、回転自在に配設されている。そして、筒状体５３内では、仕切板５３ａの左右方向の一方側（軸受部材５１側）において、球体レンズ５５の一部が挿入される球体レンズ収容室５６が形成される。また、筒状体５３内では、仕切板５３ａと軸受部材５２の円板部５２ａとの間において、鏡体収容室５７が形成される。
【００３４】
図８に示すように、鏡体５４（いわゆる「ミラーシステム（鏡筒）」）は、２枚の鏡板５４ａ，５４ｂから構成されている（いわゆる「ツーミラーシステム」）。各鏡板５４ａ，５４ｂは、ガラス、樹脂等によって、長尺平板状に形成されている。各鏡板５４ａ，５４ｂの長手方向（左右方向）の寸法は、筒状体５３の鏡体収容室５７の長手方向（左右方向）の寸法と略一致している。そして、鏡体５４は、２枚の鏡板５４ａ，５４ｂの一辺（長辺）を互いに貼り合せることによって、長手方向に沿って見た断面が略Ｖ字形に形成されている。また、各鏡板５４ａ，５４ｂの内側の面（両鏡板５４ａ，５４ｂで互いに向き合う面）には、アルミニウム、銀等の金属が蒸着されることによって、鏡面ｍが形成されている。鏡体５４は、筒状体５３の鏡体収容室５７内に収容されている。鏡体５４は、筒状体５３とともに回転されるように、筒状体５３に固定されている。
ここで、本実施形態では、鏡体５４は、ツーミラーシステムとなっている。しかしながら、鏡体５４としては、３枚の鏡板を三角筒形状となるように貼り合せたスリーミラーシステム、４枚の鏡板を四角筒形状となるように貼り合せたフォーミラーシステム等、種々の構成を採用することが可能である。
【００３５】
固定部材５８は、左右方向の一方側の端面を有し、左右方向の他方側が開放された円筒状に形成されている。固定部材５８の左右方向の一方側の端面には、球体レンズ５５が挿通される貫通孔５８ａが設けられている。球体レンズ５５は、球状に形成されたレンズである。球体レンズ５５は、水晶、ガラス、樹脂等の透明材料により形成されている。
球体レンズ５５は、固定部材５０の貫通孔５８ａに固定（接着）されている。具体的には、球体レンズ５５は、その一部が貫通孔５８ａの外側から内側に向かって挿入された状態で、貫通孔５８ａに固定されている。
また、固定部材５８は、筒状体５３の左右方向の一方側の端部に固定されている。具体的には、固定部材５８は、その内側に筒状体５３の左右方向の一方側の端部が挿入された状態で、筒状体５３に固定されている。
これによって、万華鏡装置２では、球体レンズ５５が、筒状体５３の左右方向の一方側の端部に配設される。そして、球体レンズ５５は、その一部が筒状体５３の球体レンズ収容室５６内に収容され、その他部が軸受部材５１の貫通孔５１ｃを介して筐体１０の外側に向かって突出している。また、球体レンズ５５は、筒状体５３とともに回転されるように、筒状体５３に固定されている。
そして、万華鏡装置２では、回転力伝達機構４０の従動側ギヤ４２は、筒状体５３に同軸状に固定されている。また、シリンダー３２及び筒状体５３は、回転軸が互いに平行となるように配設されている。これによって、シリンダー３２が回転されると、シリンダー３２の回転が回転力伝達機構４０を介して筒状体５３に伝達され、筒状体５３が回転される。
【００３６】
（万華鏡装置２の動作）
万華鏡装置２を使用する際には、まず、手動により操作シャフト３４ｂを回転させて、駆動装置３４のゼンマイの巻き上げを行う。そして、駆動装置３４のゼンマイの巻き上げを完了させた後、接眼レンズ５２ｄが嵌め込まれた貫通孔５２ｃ（覗き窓）から筒状体５３の内部を覗き込む。
覗き窓から筒状体５３の内部を覗き込むと、球体レンズ５５を介して外界の景色が鏡体５４の鏡面ｍに多重反射されて、万華鏡模様を視認することができる。
そして、ゼンマイの駆動力（復元力）によって、駆動ギヤの回転が開始される。この際、駆動装置３４のガバナによって、駆動ギヤの回転速度が一定に調整される。
駆動ギヤが回転されると、この回転がギヤ３２ｂを介してシリンダー３２に伝達され、シリンダー３２が回転される。そして、シリンダー３２が回転されると、シリンダー３２の外周面に配設された各ピン３２ａが、当該ピン３２ａに対応する振動弁３３ａを弾く。これによって、各振動弁３３ａから所定の周波数の音波が発生して、所定のメロディーが奏でられる。
【００３７】
また、シリンダー３２が回転されると、この回転が回転力伝達機構４０を介して筒状体５３に伝達され、筒状体５３が回転される。そして、筒状体５３が回転されると、鏡体収容室２７内に収容されている鏡体２４が回転されて、長手方向に見た断面が略Ｖ字形に構成された鏡体５４の向きが変化する。また、筒状体５３が回転されると、筒状体５３に固定されている球体レンズ５５が回転される。これによって、覗き窓から見える模様が変化する。
さらに、複数の振動弁３３ａのそれぞれが弾かれると、各振動弁３３ａから発生した音波が、筒状体５３を振動させる。そして、筒状体５３が振動すると、この振動に合わせて筒状体５３に収容されている鏡体５４が振動される。これによって、覗き窓から見える模様が、振動板３３により奏でられるメロディーに合わせて変化する。特に、複数の振動弁３３ａのそれぞれから発生した音波が筐体１０内の空間で反響することによって、筒状体５３の振動を強めることができる。
【００３８】
以上のように、万華鏡装置２では、駆動装置３４によるシリンダー３２の回転が、回転力伝達機構４０を介して、鏡体５４を収容する筒状体５３に伝達される。これによって、筒状体５３を自動で回転させることができ、覗き窓から見える模様を自動で変化させることが可能となる。
また、万華鏡装置２では、自動で回転される筒状体５３に、鏡体２４が収容されており、筒状体５３の端部に球体レンズ５３が固定されている。これによって、筒状体５３が回転された際に、鏡体５４の回転及び球体レンズ５３の回転によって覗き窓から見える模様を変化させることができる。したがって、覗き窓から見える模様の変化を多様化することが可能となる。
特に、万華鏡装置２では、筒状体５３、シリンダー３２及び振動弁３３ａが筐体１０に収容されている。これによって、筐体１０内において、振動弁３３ａから発生した音波が、筒状体５３を振動させて、筒状体５３に収容されている鏡体５４を振動させる。この際、振動弁３３ａから発生した音波が筐体１０内で反響することによって、筒状体５３の振動が強まる。したがって、覗き窓から見える模様の変化をさらに多様化することが可能となる。
【００３９】
以上のように、万華鏡装置２によれば、簡易な構造により、覗き窓から見える模様を自動で変化させ、かつ、模様の変化を多様化することが可能となる。
特に、万華鏡装置２では、球体レンズ５５を介して鏡体５４に反射される外界の景色によって覗き窓から見える模様を変化させることができるため、観賞対象オブジェクトを用いる必要がなく、簡易な構造により、覗き窓から見える模様の変化を多様化することが可能となる。
【符号の説明】
【００４０】
１      万華鏡装置
２      万華鏡装置
１０    筐体
１１    収容部
１２    蓋部
１３ａ  貫通孔
１３ｂ  貫通孔
１４    貫通孔
２０    万華鏡ユニット
２１    軸受部材
２１ａ  円板部
２１ｂ  円筒部
２１ｃ  貫通孔
２１ｄ  透光板
２２    軸受部材
２２ａ  円板部
２２ｂ  円筒部
２２ｃ  貫通孔
２２ｄ  接眼レンズ
２３    筒状体
２３ａ  仕切板
２４    鏡体
２４ａ  鏡板
２４ｂ  鏡板
２５    観賞対象オブジェクト
２６    観賞対象オブジェクト収容室
２７    鏡体収容室
３０    発音ユニット
３１    台座
３１ａ  軸受部
３２    シリンダー
３２ａ  ピン
３２ｂ  ギヤ
３３    振動板
３３ａ  振動弁
３４    駆動装置
３４ａ  ハウジング
３４ｂ  操作シャフト
４０    回転力伝達機構
４１    駆動側ギヤ
４２    従動側ギヤ
ｍ      鏡面
５０    万華鏡ユニット
５１    軸受部材
５１ａ  円板部
５１ｂ  円筒部
５１ｃ  貫通孔
５２    軸受部材
５２ａ  円板部
５２ｂ  円筒部
５２ｃ  貫通孔
５２ｄ  接眼レンズ
５３    筒状体
５３ａ  仕切板
５４    鏡体
５４ａ  鏡板
５４ｂ  鏡板
５５    球体レンズ
５６    球体レンズ収容室
５７    鏡体収容室
５８    固定部材
５８ａ  貫通孔
【図１】
0005918015.tif 000002
【図２】
0005918015.tif 000003
【図３】
0005918015.tif 000004
【図４】
0005918015.tif 000005
【図５】
0005918015.tif 000006
【図６】
0005918015.tif 000007
【図７】
0005918015.tif 000008
【図８】
0005918015.tif 000009